(57)【要約】【課題】風車役物と、風車役物により振り分けられた遊技球を始動入賞口へ導くための道釘列を備えたパチンコ遊技機において、風車役物を構成する羽根車と直近に位置する道釘との間に形成される空間を閉鎖してこの空間からの遊技球の落下を防止し、遊技者の興趣を高めることができるようにした。【解決手段】遊技盤面上に立設された風車軸２１、及び該風車軸によって回転自在に軸支されると共に該盤面を流下する遊技球との衝突に伴って自在に回転する羽根車２５を備えた風車役物２０と、遊技盤面上において、風車役物の略近傍より盤面斜め下方へ向けて配列された釘群４０と、を有したパチンコ遊技機であって、風車軸に直近の釘と４０ａ該風車軸との間に遊技球の通過を妨げる通過防止部材５０を配置すると共に、羽根車には回転時に通過防止部材との干渉を回避するための回避部２８を設けた。【選択図】図２
2010075336.tif 000002
【特許請求の範囲】
【請求項１】
盤面部品を備えた遊技盤と、
前記遊技盤の盤面上に立設された風車軸、及び該風車軸によって回転自在に軸支されると共に該盤面を流下する遊技球との衝突に伴って自在に回転する羽根車を備えた風車役物と、
前記遊技盤面上において、前記風車役物の略近傍より盤面斜め下方へ向けて配列された釘群と、を有したパチンコ遊技機であって、
前記釘群のうち前記風車軸に直近の釘と該風車軸との間に遊技球の通過を妨げる通過防止部材を、前記遊技盤上に配置すると共に、前記羽根車には回転時に通過防止部材との干渉を回避するための回避部を設けたことを特徴とするパチンコ遊技機。
【請求項２】
前記通過防止部材は、前記遊技盤面に固定された台板上に固定されていることを特徴とする請求項１に記載のパチンコ遊技機。
【請求項３】
前記通過防止部材は、前記遊技盤面に固定されたピンであることを特徴とする請求項１に記載のパチンコ遊技機。
【請求項４】
前記通過防止部材は、前記釘によって一部を固定され且つ他部を前記風車軸と前記直近の軸との間の空隙内に突出させた部材であることを特徴とする請求項１に記載のパチンコ遊技機。
【発明の詳細な説明】
【技術分野】
【０００１】
本発明は、パチンコ遊技機を構成する遊技盤面上に配置されて遊技球の流下経路に変化を与える風車役物の改良に関する。
【背景技術】
【０００２】
パチンコ遊技機においては、遊技盤の盤面に入賞口、風車役物、図柄表示装置、電飾装置等の各種盤面部品を設けて遊技内容の多様性を図っている。
風車役物は、遊技盤に立設された風車軸によって羽根車を回転自在に軸支した構成を備え、遊技盤面を流下してきた遊技球が羽根車の羽根に当接することにより羽根車を回転させて演出効果を発揮させると共に、羽根による干渉によって遊技球の流下経路に変化がもたらされる（特許文献１）。
図７（ａ）は風車役物を備えた遊技盤面の構成を示す正面図であり、（ｂ）は風車役物の組付け状態を示す断面図であり、（ｃ）及び（ｄ）は羽根の位置の違いによる遊技球の転動方向の違いを示す説明図である。
遊技盤１００の盤面には、液晶表示器（画像表示装置）１０１を備えたセンター役物１０２が配置され、センター役物１０２の下方には、始動入賞口１０３が設けられ、更にその下方には特別図柄表示器の特別図柄を可変表示させるための可変入賞装置１０４が設けられている。
さらに可変入賞装置１０４の下方には、特別遊技状態の一つである大当り状態のときに開成状態になる開閉扉を有する大入賞口１０５が設けられている。
また遊技盤１００には、普通入賞口１０６が設けられていると共に、遊技盤面には風車役物１０７や、多数の遊技釘１１０が突設されている。
風車役物１０７は、遊技盤面に打ち込まれた風車釘（風車軸）１０７ａによって軸孔を回転自在に軸支された樹脂製の羽根車１０７ｂと、羽根車１０７ｂの前面に固定された化粧板としての前板１０７ｃと、から構成されている。羽根車１０７ｂは、遊技球が羽根１０７ｂ’と接触して回転することにより、遊技球の落下速度を遅くすると共に、落下方向を変化させて遊技進行上の興趣を高めている。
【０００３】
ところで、風車役物１０７は、流下してきた遊技球を始動入賞口１０３がある右方向と、左方向へ振り分ける役割を有しており、右方向へ振り分けられた遊技球Ｂは風車役物１０７から右方向へ下向き傾斜して一列に配列された複数本の道釘１１５から成る釘列上に移行して始動入賞口１０３へ向けて案内される（（ｃ））。
しかし、同図（ｄ）に示すように風車役物１０７に最も近い道釘１１５ａと、羽根車１０７ｂとの間には図示の如き空間Ｓが形成されている。即ち、羽根車１０７ｂを構成する羽根１０７ｂ’の先端が直近の道釘１１５ａとぎりぎりの位置を通過するように羽根の長さを設定したとしても、羽根車が回転して羽根間の空所が道釘１１５ａと対面する位置に来ると、羽根間の空所と道釘１１５ａとの間に遊技球を通過させるに足る空間Ｓが形成される。このため、風車役物により右方向へ振り分けられようとする遊技球Ｂのうちで羽根間の空所内に落ち込んだ遊技球の多くがこの空間Ｓから落下してしまい、始動入賞口１０３へ導かれなくなり、遊技者の興趣を低下させる原因となっている。
【特許文献１】特開２００２−２００３１３公報
【発明の開示】
【発明が解決しようとする課題】
【０００４】
以上のように従来のパチンコ遊技機にあっては、風車役物によって遊技盤中央方向へ振り分けられた遊技球を風車役物と始動入賞口との間に配置された道釘列によって始動入賞口へ導くように構成していたが、風車役物を構成する羽根車と直近の道釘との間に不可避的に形成される空間から遊技球が落下し、始動入賞口へ導かれなくなるという不具合があった。即ち、風車役物を支持する風車軸と道釘との間の空間から真下方向へ落下する遊技球は、道釘列上に沿った経路を移動できなくなるため始動入賞口に向かうことがない。従来は、遊技盤面上の遊技釘の配列を設計するに当たり、風車軸と道釘との間から真下方向へ落下する遊技球の球筋を想定していなかったため、実際の始動入賞数（大当たりの抽選回数）や大当たり回数が、設計時の算定値との間で誤差を生じていた。
本発明は上記に鑑みてなされたものであり、風車役物と、風車役物により振り分けられた遊技球を始動入賞口へ導くための道釘列を備えたパチンコ遊技機において、風車役物を構成する羽根車と直近に位置する道釘との間に形成される空間を閉鎖してこの空間からの遊技球の落下を防止し、遊技者の興趣の低下を防止できるようにしたパチンコ遊技機を提供することを目的としている。
また、風車役物によって道釘列上の転動経路に案内された遊技球は確実に始動入賞口に向けて転動するので、始動入賞数などの設計算定値が設計者の思惑通りとなるようにすることを目的としている。
【課題を解決するための手段】
【０００５】
上記目的を達成するため、請求項１の発明は、盤面部品を備えた遊技盤と、前記遊技盤の盤面上に立設された風車軸、及び該風車軸によって回転自在に軸支されると共に該盤面を流下する遊技球との衝突に伴って自在に回転する羽根車を備えた風車役物と、前記遊技盤面上において、前記風車役物の略近傍より盤面斜め下方へ向けて配列された釘群と、を有したパチンコ遊技機であって、前記釘群のうち前記風車軸に直近の釘と該風車軸との間に遊技球の通過を妨げる通過防止部材を、前記遊技盤上に配置すると共に、前記羽根車には回転時に通過防止部材との干渉を回避するための回避部を設けたことを特徴とする。
従来のパチンコ遊技機においては、風車役物と、風車役物により振り分けられた遊技球を始動入賞口へ導くための道釘列との間に、遊技球が下方へ落下可能な空隙が形成されていた。本発明では、前記空隙を閉鎖する通過防止部材と、通過防止部材との干渉を回避する回避部を羽根車に設けたので、道釘と羽根車との間の空隙から遊技球が落下することがなくなり、確実に道釘上に導かれるので、遊技者の興趣の低下を防止できる。
請求項２の発明は、請求項１において、前記通過防止部材は、前記遊技盤面に固定された台板上に固定されていることを特徴とする。
通過防止部材は遊技盤面に直接配置してもよいし、遊技盤面に固定された台板上に設けても良い。
請求項３の発明は、請求項１において、前記通過防止部材は、前記遊技盤面に固定されたピンであることを特徴とする。
通過防止部材をピンとすることにより、羽根車側の設ける回避部のサイズを小さくして羽根の面積を大きく確保できるため、遊技球の振り分け効果を十分に維持することができる。
請求項４の発明は、請求項１において、前記通過防止部材は、前記釘によって一部を固定され且つ他部を前記風車軸と前記直近の軸との間の空隙内に突出させた部材であることを特徴とする。
通過防止部材を釘によって支持してもよい。
【発明の効果】
【０００６】
本発明では、風車軸に直近の釘と該風車軸との間に遊技球の通過を妨げる通過防止部材を配置すると共に、羽根車には回転時に通過防止部材との干渉を回避するための回避部を設けた。このため、風車役物を構成する羽根車と直近に位置する道釘との間に形成される空間を閉鎖してこの空間からの遊技球の落下を防止して確実に道釘上に導き、遊技者の興趣を高めることができる。
【発明を実施するための最良の形態】
【０００７】
以下、本発明を図面に示した実施の形態により詳細に説明する。
図１は本発明の一実施形態に係る遊技機の一例としてのパチンコ遊技機の正面図である。
図１に示すパチンコ遊技機１は、図示しない矩形形状の枠を有し、この枠の窓孔に対して裏側から遊技盤３が着脱可能に取り付けられている。
遊技盤３の前面側には図示しないガラス枠が開閉可能に取り付けられている。また遊技盤３の下部には遊技球を貯めておく図示しない受け皿部と、受け皿部内の遊技球を発射する図示しない発射レバー等が設けられている。また受け皿部の上部には、遊技演出を行うチャンスボタンや十字キー、あるいは遊技球の購入ボタンや購入取り消しボタンなどの操作部が設けられている。
遊技盤３の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバーを操作することにより発射装置から発射された遊技球を遊技領域３ａの上部に案内したり、アウト口４に案内したりする外レールＲ１及び内レールＲ２が設けられている。
遊技盤３のほぼ中央には、画像表示手段としての液晶表示器５が配置されている。液晶表示器５は、例えば液晶表示パネルにより構成され、通常動作状態の時は、特別図柄に応じた画像が表示される。また、所謂リーチ状態や特別遊技状態の時は、それぞれの遊技状態であることを示す演出画像等が表示される。
遊技盤３の右側下方の遊技領域外には、特別図柄の変動と表示を行う図示しない特別図柄表示器や普通図柄の変動と表示を行う普通図柄表示器などが設けられている。
【０００８】
液晶表示器（画像表示装置）５の下方には、特別図柄表示器の特別図柄を可変表示させるための可変入賞装置７が設けられている。
可変入賞装置７は、始動入賞口７ａと、左右一対の開閉爪（開閉片）を有する電動式チューリップ（以下、「電チュー」と称する）７ｂとを備える。始動入賞口７ａ内には、特別図柄表示器の特別図柄を変動表示させる第１始動口スイッチが設けられている。また電チュー７ｂの内部には、特別図柄表示器の特別図柄を変動表示する第２始動口スイッチが設けられている。
また、液晶表示器５の左側には、遊技盤の右下部に配置された普通図柄表示器を作動させるためのゲート８が設けられている。ゲート８の内部にはゲートスイッチが設けられており、遊技球がゲート８のゲートスイッチを通過したときに、所定時間作動して停止するようになっている。そして、所定態様で停止したときに可変入賞装置７に設けられた電チュー７ｂから成る開閉片を所定時間、開成動作するように構成されている。
さらに可変入賞装置７の下方には、特別遊技状態の一つである大当り状態のときに開成状態になる開閉扉を有する大入賞口９が設けられている。
また遊技盤３には、普通入賞口１０が設けられていると共に、遊技盤面には多数の遊技釘１５や風車役物２０が突設されている。
風車役物２０は、遊技球が接触することによって回転する羽根車を備え、遊技球の落下速度を遅くすると共に、落下方向を変化させて遊技進行上の興趣を高めている。
本発明の特徴は、風車役物２０の構成にある。
【０００９】
図２（ａ）（ｂ）及び（ｃ）は本発明の一実施形態に係る風車役物の正面図、平面図、及び他の状態を示す正面図である。
風車役物２０は、ベニヤ板、或いはアクリル板から成る遊技盤面３ｂに打ち込まれることにより立設された風車釘（風車軸）２１と、風車釘２１に挿通される軸穴を有した樹脂製の羽根車２５と、羽根車２５の前面に必要に応じて取り付けられる前板３５と、を備えている。羽根車２５は、盤面を流下する遊技球との衝突に伴って自在に回転することができ、中心軸部２６から複数枚の羽根２７が外径方向へ突出した構成を備えている。
風車役物２０と始動入賞口７ａとの間には、盤面斜め下方へ向けて道釘４０が一列に配列されている。道釘４０は、羽根２７の先端の移動軌跡との間に僅かの間隙を隔てて配置された直近の道釘４０ａから、始動入賞口７ａの近傍に配置された道釘４０ｂまで略直線的に延びており、羽根車２５によって盤面中央部方向（右方向）へ振り分けられた遊技球が道釘群の上面に沿って転動移動して始動入賞口７ａへ向かうように配慮されている。しかし、羽根車２５の回転により羽根２７間の空隙（遊技球通過スペース）Ｓが直近の道釘４０ａと対面している瞬間においては、この空隙Ｓ内に遊技球が進入して下方へ落下してゆき、始動入賞口７ａへ導かれない事態が発生する。
【００１０】
本発明では、このような不具合に対処するために、羽根車２５（中心軸部２６）に直近の道釘４０ａと中心軸部２６との間に遊技球の通過を妨げる通過防止部材５０を配置すると共に、羽根車２５には回転時に通過防止部材５０との干渉を回避するための切欠きとしての回避部２８を設けた。
通過防止部材５０は、樹脂、金属、木材等々、任意の材質を使用可能であり、遊技盤面３ｂ上に直接、或いは他の盤面部品を介して間接的に固定配置されることにより、羽根車の中心軸部２６と直近の道釘４０ａとの間に形成される空隙Ｓを常時塞ぐことができる。一方、通過防止部材５０が羽根車２５の回転を妨げることがないように、羽根車の羽根２７には切欠きとしての回避部２８を設けた。
【００１１】
このように直近の道釘４０ａと羽根車２５との間に形成される空隙Ｓを通過防止部材５０によって閉塞する一方で、回避部２８によって羽根車の回転が妨げられることがないようにしたので、風車役物２０によって盤面中央方向へ振り分けられた遊技球Ｂは下方へ落下することなく、確実に道釘群によって始動入賞口７ａへ向けて案内されることとなる。
なお、図３は図２の変形実施形態に係る風車役物の断面図であり、風車役物の構成が図２の風車役物と異なっている。
即ち、図３の実施形態に係る風車役物２０は、遊技盤面３ｂにビス止め固定された台板３０から突設された風車軸３１によって羽根車２５を回転自在に軸支するように構成されている。この風車軸３１は図２の風車釘とは異なり、遊技盤面に打ち込まれる訳ではなく、台板３０と一体成形されている。この実施形態においては、直近の道釘４０ａとの間の空隙を塞ぐための通過防止部材５０を台板３０の前面に予め配置することができるため、組付け作業性を高め、且つ組付け精度を高めることが可能となる。また、通過防止部材５０が羽根車の回転を妨げることがないように、羽根２７には回避部２８が形成されている。
この実施形態においても、直近の道釘４０ａと羽根車２５との間に形成される空隙を通過防止部材５０によって閉塞する一方で、回避部２８によって羽根車の回転が妨げられることがないようにしたので、風車役物２０によって盤面中央方向へ振り分けられた遊技球は下方へ落下することなく、確実に道釘群によって始動入賞口７ａへ向けて案内されることとなる。
【００１２】
次に、図４（ａ）及び（ｂ）は本発明の他の実施形態に係るパチンコ遊技機の要部構成を示す正面図、及び側部縦断面図である。
この実施形態では、通過防止部材５０として、遊技盤面に固定された短尺ピン５１を利用している。即ち、通過防止部材５０として図２、図３の実施形態のように大きな体積を占めるブロック状の部材を使用すると、通過防止部材５０の外形状に見合う形状の回避部２８を羽根２７に形成する必要がある。そのため、個々の羽根２７の面積が狭くなり、遊技球と羽根との接触面積が減少して羽根車による遊技球の振り分け機能に影響がでることも予想される。
そこで、本実施形態では、通過防止部材５０として必要最小限の体積（径寸法）を有した短尺ピン５１を遊技盤面３ｂに立設し、羽根２７側にはこの短尺ピン５１を通過させるためのスリットとしての回避部２８を設けている。このため、羽根２７の面積を減少させる要因となっている回避部２８を最小限に留めることが可能となり、羽根車による遊技球の振り分け機能を十分に確保することが可能となる。
なお、この短尺ピン５１を通過防止部材５０として利用する構成は、図３に示したタイプの風車役物に対しても適用することができる。即ち、図５に示すように台板３０の前面から予め短尺ピン５１を突設しておく一方で、羽根車の羽根２７にはスリット状の回避部２８を形成しておくことにより、図４の実施形態と同様の構成を実現することが可能となる。
【００１３】
次に、図６（ａ）及び（ｂ）は本発明の他の実施形態に係るパチンコ遊技機の要部構成を示す正面図、及び側部縦断面図である。
この実施形態では、通過防止部材５０として、直近の道釘４０ａを含む少なくとも１本の道釘によって一部を固定され且つ他部を羽根車の中心軸部２６と直近の道釘４０ａとの間の空隙Ｓ内に突出させた薄板部材（通過防止部材）５２を用いている。
本例に係る薄板部材５２は、直近の道釘４０ａを含む二本の道釘４０を挿通するための挿通穴５２ａを有した樹脂製の薄板から成り、その先端５２ｂは羽根２７の回転軌跡（遊技球通過）内に突出することにより、羽根に設けた回避部２８との協働により、羽根車の回転を円滑化しつつ空隙Ｓを閉塞することができる。
道釘により支持された薄板部材５２を通過防止部材５０として利用する構成は、図３に示したタイプの風車役物にも適用することができる。
【００１４】
以上のように本発明では、風車役物と、風車役物により振り分けられた遊技球を始動入賞口へ導くための道釘列との間に形成される遊技球が下方へ落下可能な空隙を通過防止部材によって閉止して遊技球の通過を阻止するようにしたので、この空隙から遊技球が落下することがなくなり確実に道釘上に導かれるので、遊技者の興趣の低下を防止できる。
また、風車役物によって道釘列上の転動経路に案内された遊技球は確実に始動入賞口に向けて転動するので、始動入賞数などの設計算定値が設計者の思惑通りとなるようにすることができる。
【図面の簡単な説明】
【００１５】
【図１】本発明の一実施形態に係る遊技機の一例としてのパチンコ遊技機の正面図である。
【図２】（ａ）（ｂ）及び（ｃ）は本発明の一実施形態に係る風車役物の正面図、平面図、及び他の状態を示す正面図である。
【図３】図２の変形実施形態に係る風車役物の断面図である。
【図４】（ａ）及び（ｂ）は本発明の他の実施形態に係るパチンコ遊技機の要部構成を示す正面図、及び側部縦断面図である。
【図５】図４の実施形態の変形例を示す説明図である。
【図６】（ａ）及び（ｂ）は本発明の他の実施形態に係るパチンコ遊技機の要部構成を示す正面図、及び側部縦断面図である。
【図７】（ａ）乃至（ｄ）は従来例の説明図である。
【符号の説明】
【００１６】
１…パチンコ遊技機、３…遊技盤、３ａ…遊技領域、３ｂ…遊技盤面、４…アウト口、４０…道釘、５…液晶表示器、７…可変入賞装置、７ａ…始動入賞口、７ｂ…電チュー、８…ゲート、９…大入賞口、１０…普通入賞口、１５…遊技釘、２０…風車役物、２１…風車釘（風車軸）、２５…羽根車、２６…中心軸部、２７…羽根、２８…回避部、３０…台板、３１…風車軸、３５…前板、４０ａ…道釘、４０ｂ…道釘、５０…通過防止部材、５１…短尺ピン、５２…薄板部材、５２ａ…挿通穴、５２ｂ…先端
【図１】
2010075336.tif 000003
【図２】
2010075336.tif 000004
【図３】
2010075336.tif 000005
【図４】
2010075336.tif 000006
【図５】
2010075336.tif 000007
【図６】
2010075336.tif 000008
【図７】
2010075336.tif 000009